(57)【要約】      （修正有）【課題】  伸縮性雌型面ファスナーと非伸縮性の雄型面ファスナーとの係合時において、伸縮性雌型面ファスナーの伸縮によってループ移動が生じ、剥離強度、剪断強度が低下するのを防止する。【解決手段】  帯状織物１を構成する少なくとも経糸方向に伸縮性を有する基布２の片面に、所定長さに亘り該基布２の一部のループ用の経糸により長さ方向に定間隔をおいて雌型面ファスナー機能を備えたループ面３を繰り返し形成し、任意の手段により該ループ面３の経糸方向の伸びを抑制して、ループ移動が生じにくいように構成した。【選択図】図１
2008161627.tif 000002
【特許請求の範囲】
【請求項１】
少なくとも経糸方向に伸縮性を有する帯状の基布の片面に、該基布の一部のループ用の経糸により所定長さに亘り雌型面ファスナー機能を備えたループ面が定間隔をおいて繰り返し形成され、任意の手段により該ループ面の経糸方向の伸びが抑制されていることを特徴とする帯状織物。
【請求項２】
上記各ループ面の裏面側に、該ループ面とほぼ同形の非伸縮性雄型面ファスナーが貼り合わされてそれぞれのループ面の伸びが抑制されていることを特徴とする請求項１記載の帯状織物。
【発明の詳細な説明】
【技術分野】
【０００１】  本発明は帯状織物、詳しくは少なくとも経糸方向に伸縮性を有する帯状の基布の片面にループ用経糸により雌型面ファスナー機能を備えたループ面が定間隔をおいて形成され、さらにそのループ面の経糸方向の伸びが抑制され、該基布の他側の面に雄型面ファスナーを貼り合わせることにより、人体各部位のサポーターや各種物品緊縛用、梱包用あるいは荷崩れ防止用などに好都合な帯状織物に関するものである。
【背景技術】
【０００２】  帯状の伸縮性基布の一端部側の上面に雌型の面ファスナーを備え、基布の他端部側の下面にテープ状の雄型の面ファスナー片を備えてなる緊縛具は、従来から種々なサポーターやベルトとして広く利用され、また経糸方向に伸縮性を有する帯状織物の片面が該織物の経糸による雌型面ファスナー機能を備えたるループ面となしたエラスティックウェビングが提供されるに至っている。
【特許文献１】特開２００５−１８７９６２号公報
【発明の開示】
【発明が解決しようとする課題】
【０００３】  一般的な面ファスナーは雄型雌型共に非伸縮性であることを前提にフック・ループの設計がなされ、一般的な面ファスナーの場合、単位面積当たりのフックとループの数は、フックの方が少ない。そこで一般的なフックをベースに考察すると、フックはテープ（基布）の長さ方向および幅方向のフック間のピッチが約１〜２ｍｍ、高さが約１．５ｍｍ程度である。そしてフックの形状は通常釣り針状をなしているが製造上の都合により先端が頂部が短く切断され、かつ易係合を考慮して長さ方向に対してフックの方向が１列置きに交互に斜めに捻れた形状をなしている。【０００４】  近年、伸縮性の帯状基布の伸縮性を阻害しないために、上記特許文献１に見られるように、基布自体の片面全体を基布と共に伸縮可能なループ面（雌型ファスナー面）となし、その裏面の端部に雄型面ファスナー片を取り付けて人体のサポーターや物品の緊縛用に適用できるエラスティックウエビング（伸縮性織物）が提供されている。かかる織物はほぼ全長に亘り伸縮し、さらに別途に雌型ファスナーを貼り合わせた場合に比べて基布の厚さの増加がなく、伸縮状態で雄型面ファスナー片を任意の箇所で係合止着できるという利点を有している。しかしながら非伸縮性の雄型面ファスナーを伸縮性の雌型面ファスナーが伸長した状態時に係合させた場合、係合しているフックとループに剪断剥離方向の張力がかかり、非伸縮性の雌雄の面ファスナーを係合させた場合に比べて剪断強度が低下する。さらにこのような係合状態において何らかの要因により雌型面ファスナーにさらに伸長方向の外力が作用した場合、フックと係合しているループが移動して一部において係合の崩壊が生じ、剥離強度の低下はもとより剪断強度がさらに低下し、ときには剪断剥離を招くことになる。【０００５】  上記の不都合は、伸縮性の基布にループ面を織成せず、汎用されている非伸縮性の雌型面ファスナーを貼り合わせることによって解消されるが、基布の裏面に貼り合わせた非伸縮性の雄型面ファスナーを係合させた場合、との係合部分の厚さが大きくなり、また係合部分の柔軟性が阻害されることになる。
【課題を解決するための手段】
【０００６】  本発明は上記した課題を改善し、雌型面ファスナー機能を有したループ部分の伸びが抑制された帯状織物を提供するものであって、図１に示しているように、帯状織物１は少なくとも経糸方向に伸縮性を有する帯状の基布２の片面に、該基布１の一部のループ用の経糸により定間隔をおいて所定長さに亘り雌型面ファスナー機能を備えたループ面３が形成され、任意の手段により該ループ面３の経糸方向の伸びが抑制されていることを特徴としているものである。【０００７】  伸縮性の帯状の基布２の片面に、該基布２の一部のループ用の経糸により定間隔をおいて所定長さに亘り雌型面ファスナー機能を備えたループ面３を繰り返し形成するには、細幅織機、とりわけジャガード織機を用い、経糸に弾性糸、例えばポリウレタン糸やポリウレタン糸を芯としたカバリング糸および各種の地糸と共にループ用の例えばマルチフィラメント糸を配し、予め設定したプログラムに基づいて製織するとよい。【０００８】  また、織製プログラムに基づき基布２の片面に定間隔をおいて所定長さに亘り形成された雌型面ファスナーとなるループ面３の伸びを抑制するには、図２に略示しているように、その各ループ面３の裏面側に接着剤の塗布、合成樹脂液の含浸４などの手段を用いるとよい。このようにして得られた帯状織物は長さ方向に伸縮性を保持した織地面５と伸縮性が抑制されたループ面３が交互に存在した形態となる。【０００９】  また図４、図５に示しているように、各ループ面２の裏面側に、ループ面３とほぼ同形の非伸縮性雄型面ファスナー６を貼り合わせるのがループ面３の伸びの好ましい抑制方法である。このように各ループ面３の裏面側にループ面３とほぼ同形の非伸縮性雄型面ファスナー６が貼り合わされた伸縮性の帯状織物１は、その長さ方向に伸縮性の機能部分（織地面５）と非伸縮性の部分（ループ面３）と交互に存在することになり、用途に応じて必要な長さに切断して利用することができ、また人体や緊縛物の実周の寸法よりもループ面の数個分相当長くなる長さに切断すれば、図６に例示しているように数カ所において分散して係合せることができ、重なり部分の柔軟度および係合力が向上するという効果が得られる。【００１０】  本発明の帯状織物１の片面に形成するループ面３の大きさは、帯状織物の基布２の幅寸法や用途などによって適宜に選定されるものであるが、長さ方向の寸法は基布２の織地面５の伸縮機能を阻害しないように基布２の幅寸法程度かまたはそれよりも小さい方が望ましい。また基布２の両縁はループの存在しない織地（耳部）となしておくことも帯状織物の体裁上好ましいことである。また基布２は図面では平織形態になっているが、多重織物が一般的であり、人体のサポーターとして適用する場合は、織地面５がソフトとなる組織に織成するとよい。また図２や図５においては、説明上、ループ面３や雄型ファスナー６が基布２から可成り突出して示しているが、実際には基布２が多重織物である場合はさほど目立った突出状態とはならない。
【発明の効果】
【００１１】  帯状織物の全体の伸びはループ面３間の織地面５の存在によって十分に残存していて、人体のサポーターや各種の物品に対して弾力的に巻回することができる。そして図３に示しているように、一端部に雄型面ファスナー片７を止着すれば、巻回部分の周長に応じて段階的ではあるが所望の位置において雄型面ファスナー片７を雌型面ファスナー機能を備えたループ面３に係合させることができ、また係合部のループ面３に不意に周方向の張力がかかったとしても、ループ面３の伸びが抑制されているから雄型面ファスナー片７のフックと係合しているループの移動が抑制され、係合の崩壊も生じることがなく、ループ移動による剥離強度、剪断強度の低下を防止することができる。【００１２】  また、請求項２記載のように、各ループ面３の裏面側に、該ループ面３とほぼ同形の非伸縮性雄型面ファスナー６が貼り合わされ、この貼り合わせによって各ループ面３の経糸方向の伸びが抑制されている帯状織物においては、図４および図５に示しているように、その長さ方向に伸縮性の機能部分（織地面５）と非伸縮性の部分（ループ面３）と交互に存在することになり、用途に応じて必要な長さに切断して利用することができ、また人体や緊縛物の実周の寸法よりもループ面の数個分相当長くなる長さに切断すれば、図６のように数カ所において分散して係合せることができ、各係合部においては上記と同様にループ面３に不意に周方向の張力がかかったとしてもループの移動が抑制され、係合力が向上するとともに重なり部分の柔軟性が確保され、重なり部分が湾曲した部分や角部に位置していても十分な剪断強度および剥離強度を保持することができる。という顕著に効果を発揮する。
【発明を実施するための最良の形態】
【００１３】ジャガード型の細幅織機を用い、経糸に弾性糸、例えばポリウレタン糸やポリウレタン糸を芯としたカバリング糸、地糸としてウーリー加工糸そしてループ用糸として高強度のマルチフィラメント糸を配し、設定したプログラムに基づいて、図１に示しているように、伸縮性の帯状の基布２の片面に、所定長さに亘り雌型面ファスナー機能を備えたループ面３と織地面５が交互に繰り返し存在した帯状織物１を織成し、各ループ面２の裏面側に、該ループ面３とほぼ同形の非伸縮性雄型面ファスナー６を貼り合わせ、この貼り合わせによって各ループ面３の経糸方向の伸びを抑制して本発明の帯状織物１となした。
【実施例１】
【００１４】  図７は帯状織物１の経糸方向の断面拡大図を例示しているものである。図７において、１０は地経糸、１１は弾性糸、１２はループ糸そして１３は緯糸であり、各糸の構成は次の通りである。
地経糸・・・・単糸デニール２．５ｄ  トータルデニール１５０ｄのポリエステルマルチフィラメント「商品名テクノファイン：旭化成（株）製」
弾性糸・・・・８４０ｄのポリウレタン糸を芯としたカバリング糸「商品名ロイカＨＳ：旭化成（株）製」
ループ用経糸・・・・単糸デニール１４ｄ  トータルデニール２１０ｄのナイロンマルチフィラメント
緯糸・・・・ナイロンモノフィラメント糸１００ｄ  商品名エルダ：東レ（株）製」
上記地経糸を５ｃｍ幅当たり３７８本、弾性糸１１を５ｃｍ幅当たり上下に各４５本、ループ糸１３を幅４ｃｍ当たり４５本をそれぞれ経糸列に配し、緯糸密度４２本／インチ、ループ糸１３による４ｃｍ幅のループ面が一方の面に５ｃｍ間隔に形成されるように、また弾性糸１１の緯糸１３との絡みが少なく織物の中層部分にほぼ直線的に伸びるように設定し、ジャガード型の細幅織機を用いて図１に示したような５ｃｍ幅の２層構造の帯状織物１を織成した。この帯状織物１の経糸方向の伸長率は約２００％であった。【００１５】  上記の織成に際しては、図８に示しているように、各ループ糸１２による各ループ１２Ａが、隣接するループ列の各ループ間に位置したループ面３となすことが望ましい。このように各ループ１２Ａが隣接するループ列の各ループ間に位置したループ面３は雄型面ファスナーの各フックとの係合率が向上し、剥離強度、剪断強度を高めることができる。【００１６】  次いで織成した上記帯状織物１の各ループ面３の裏面側に、該ループ面３とほぼ同形の非伸縮性雄型面ファスナー６を貼り合わせ、この貼り合わせによって各ループ面３の経糸方向の伸びを抑制して本発明の帯状織物１となした。かくして得られた本発明の帯状織物１は、ループ面３の部分においては伸びが殆どないが、織地面５において帯状織物１の長さ方向の伸びが確保され、人体各部位のサポーターや各種物品の緊縛用、梱包用あるいは荷崩れ防止用などに適応することができ、またこれらの用途に使用中の緊張状態において、係合部分、即ちループ面３に不意に周方向の張力がかかったとしてもループの移動が抑制されてループとフックの係合外れを防止することができる。【００１７】  なお図１、図７および図８においては、織地面５が平織、綾織のような一般的な織物地を示しているが、織物の組織は用途によって適宜定められるものであり、例えば人体用のサポーターとして利用する場合は、朱子織やパイル織など表面が柔軟となる織組織を選定するとよく、また各種の物品の緊縛用、梱包用あるいは荷崩れ防止用などに適用する場合は、強度を重視した織組織となすとよい。
【産業上の利用可能性】
【００１８】  以上詳記したように、本発明の帯状織物１は、少なくとも経糸方向に伸縮性を有する基布２の片面に、所定長さに亘り該基布２の一部のループ用の経糸により長さ方向に定間隔をおいて雌型面ファスナー機能を備えたループ面３を繰り返し形成し、任意の手段により該ループ面３の経糸方向の伸びを抑制してなるものであるから、ループ面３に雄型面ファスナー６を係合させた使用時の緊張状態において、係合部分に不意に張力が負かされても、また弛緩が生じてもループやフックの移動が生じにくく、これらの要因による係合力の低下を防止することができる。したがって人体のサポーター用はもとより各種の物品の緊縛用、梱包用あるいは荷崩れ防止用などに広く利用することができる。【００１９】  また間隔をおいてループ面３を備えた帯状の長尺織物であるから、用途の周長に応じて所望の長さに切断して使用することができ、特に各種の物品の緊縛用、梱包用あるいは荷崩れ防止用として好適に利用できる。
【図面の簡単な説明】
【００２０】
【図１】  本発明の帯状織物の実施例斜視図である。
【図２】  本発明の帯状織物の簡略側面図である。
【図３】  図２の本発明帯状織物の使用例を示した斜視図である。
【図４】  本発明の帯状織物の他の実施例を示した斜視図である。
【図５】  図４の簡略側面図である。
【図６】  図４の本発明帯状織物の使用例を示した側面図である。
【図７】  織組織の説明用の経糸方向の断面拡大図である。
【図８】  ループ面のループの配列状態を示した平面図である。
【符号の説明】
【００２１】  １．帯状織物
２．伸縮性基布
３．ループ面
４．接着の塗布や合成樹脂の塗布面
５．織地面
６．雄型面ファスナー
【図１】
2008161627.tif 000003
【図２】
2008161627.tif 000004
【図３】
2008161627.tif 000005
【図４】
2008161627.tif 000006
【図５】
2008161627.tif 000007
【図６】
2008161627.tif 000008
【図７】
2008161627.tif 000009
【図８】
2008161627.tif 000010